【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
少なくとも第１および第２の組み合わせられたアンテナポートを生成するために、アンテナポートの対を組み合わせることと、
より大きなシステム帯域幅の狭帯域領域において送信された基準信号を受信することと、
組み合わせられたアンテナポートごとに、アンテナポートの前記組み合わせられた対の各アンテナポートのリソース要素（ＲＥ）上で受信された前記基準信号を加算することと、
前記組み合わせられたアンテナポートのための前記加算された基準信号に基づいて、前記組み合わせられたアンテナポートごとにチャネル推定値を決定することと、
各組み合わせられたアンテナポートの前記ポートの対応するＲＥ上で同じデータを受信することと、
前記組み合わせられたアンテナポートの前記決定されたチャネル推定値に基づいて、前記ＲＥ上で受信されたデータを空間周波数ブロックコーディング（ＳＦＢＣ）対として処理することと
を備える方法。
【請求項２】
アンテナポートの前記組み合わせられた対の各アンテナポートのリソース要素（ＲＥ）上で受信された前記基準信号を加算することは、
第１のアンテナポートの前記ＲＥを第１のスクランブリングシーケンスを用いてデスクランブルすることで、第１のデスクランブルされた信号を取得することと、
第２のアンテナポートの前記ＲＥを第２のスクランブリングシーケンスを用いてデスクランブルすることで、第２のデスクランブルされた信号を取得することと、
前記第１のデスクランブルされた信号を前記第２のデスクランブルされた信号と組み合わせることと
をさらに備える、請求項１に記載の方法。
【請求項３】
前記組み合わせることは、前記デスクランブルされた信号を加算することを備える、請求項２に記載の方法。
【請求項４】
前記組み合わせることは、
前記デスクランブルされた信号に対して時間および／または周波数補間を実行することと、
前記補間されたデスクランブルされた信号を加算することと
を備える、請求項２に記載の方法。
【請求項５】
前記アンテナポートの前記対を組み合わせた結果として前記ＵＥにおける結合利得をシグナリングすること
をさらに備える、請求項１に記載の方法。
【請求項６】
前記第１および第２の組み合わせられたアンテナポート内の基準信号電力オフセットと前記ＵＥの前記結合利得との和に一致する電力オフセットを有するデータを受信すること
をさらに備える、請求項５に記載の方法。
【請求項７】
プロセッサによって実行されると、請求項１ないし６のいずれかに記載の方法を実行するための命令を備える、コンピュータプログラム。
【請求項８】
ワイヤレス通信の装置であって、
少なくとも第１および第２の組み合わせられたアンテナポートを生成するために、アンテナポートの対を組み合わせるための手段と、
より大きなシステム帯域幅の狭帯域領域において送信された基準信号を受信するための手段と、
組み合わせられたアンテナポートごとに、アンテナポートの前記組み合わせられた対の各アンテナポートのリソース要素（ＲＥ）上で受信された前記基準信号を加算するための手段と、
前記組み合わせられたアンテナポートのための前記加算された基準信号に基づいて、前記組み合わせられたアンテナポートごとにチャネル推定値を決定するための手段と、
各組み合わせられたアンテナポートの前記ポートの対応するＲＥ上で同じデータを受信するための手段と、
前記組み合わせられたアンテナポートの前記決定されたチャネル推定値に基づいて、前記ＲＥ上で受信されたデータを空間周波数ブロックコーディング（ＳＦＢＣ）対として処理するための手段と
を備える装置。
【請求項９】
アンテナポートの前記組み合わせられた対の各アンテナポートのリソース要素（ＲＥ）上で受信された前記基準信号を前記加算するための手段は、
第１のアンテナポートの前記ＲＥを第１のスクランブリングシーケンスを用いてデスクランブルすることで、第１のデスクランブルされた信号を取得することと、
第２のアンテナポートの前記ＲＥを第２のスクランブリングシーケンスを用いてデスクランブルすることで、第２のデスクランブルされた信号を取得することと、
前記第１のデスクランブルされた信号を前記第２のデスクランブルされた信号と組み合わせることと
を行うように構成される、請求項８に記載の装置。
【請求項１０】
前記組み合わせるための手段は、前記デスクランブルされた信号を加算するように構成される、請求項９に記載の装置。
【請求項１１】
前記組み合わせるための手段は、
前記デスクランブルされた信号に対して時間および／または周波数補間を実行することと、
前記補間されたデスクランブルされた信号を加算することと
を行うように構成される、請求項９に記載の装置。
【請求項１２】
前記アンテナポートの前記対を組み合わせた結果として前記ＵＥにおける結合利得をシグナリングするための手段
をさらに備える、請求項８に記載の装置。
【請求項１３】
前記第１および第２の組み合わせられたアンテナポート内の基準信号電力オフセットと前記ＵＥの結合利得との和に一致する電力オフセットを有するデータを受信するための手段
をさらに備える、請求項１２に記載の装置。
【手続補正２】
【補正対象書類名】明細書
【補正対象項目名】００９２
【補正方法】変更
【補正の内容】
【００９２】
[0104]先の説明は、ここで説明された様々な態様の当業者による実施を可能にするために提供される。これらの態様への様々な修正は、当業者には容易に明らかとなり、ここで定義された包括的な原理は、他の態様に適用され得る。ゆえに、特許請求の範囲は、ここに示された態様に制限されるよう意図されるのではなく、特許請求の範囲の文言と合致する全範囲が与えられるべきである。当業者に知られているまたは後に知られることとなる、本開示全体にわたって説明された様々な態様の要素と構造的および機能的に同等なものはすべて、参照によってここに明確に組み込まれ、特許請求の範囲によって包含されるよう意図される。さらに、ここで開示されたものはいずれも、そのような開示が特許請求の範囲に明確に記載されているかどうかにかかわらず、公衆に献呈されるよう意図されない。請求項の要素はいずれも、その要素が「〜のための手段」という表現を使用して明確に記載されていない限り、ミーンズプラスファンクションとして解釈されるべきではない。
以下に本願の出願当初の特許請求の範囲に記載された発明を付記する。
［Ｃ１］  ユーザ機器（ＵＥ）によるワイヤレス通信の方法であって、
少なくとも第１および第２の組み合わせられたアンテナポートを生成するために、アンテナポートの対を組み合わせることと、
より大きなシステム帯域幅の狭帯域領域において送信された基準信号を受信することと、
組み合わせられたアンテナポートごとに、アンテナポートの前記組み合わせられた対の各アンテナポートのリソース要素（ＲＥ）上で受信された前記基準信号を加算することと、
組み合わせられたアンテナポートのための前記加算された基準信号に基づいて、前記組み合わせられたアンテナポートごとにチャネル推定値を決定することと
を備える方法。
［Ｃ２］  アンテナポートの前記組み合わせられた対の各アンテナポートのリソース要素（ＲＥ）上で受信された前記基準信号を加算することは、
第１のアンテナポートの前記ＲＥを第１のスクランブリングシーケンスを用いてデスクランブルすることで、第１のデスクランブルされた信号を取得することと、
第２のアンテナポートの前記ＲＥを第２のスクランブリングシーケンスを用いてデスクランブルすることで、第２のデスクランブルされた信号を取得することと、
前記第１のデスクランブルされた信号を前記第２のデスクランブルされた信号と組み合わせることと
をさらに備える、Ｃ１に記載の方法。
［Ｃ３］  前記組み合わせることは、前記デスクランブルされた信号を加算することを備える、Ｃ２に記載の方法。
［Ｃ４］  前記組み合わせることは、
前記デスクランブルされた信号に対して時間および／または周波数補間を実行することと、
前記補間されたデスクランブルされた信号を加算することと
を備える、Ｃ２に記載の方法。
［Ｃ５］  各組み合わせられたアンテナポートの前記ポートの対応するＲＥ上で同じデータを受信することと、
前記組み合わせられたアンテナポートの前記決定されたチャネル推定値に基づいて、前記ＲＥ上で受信されたデータを空間周波数ブロックコーディング（ＳＦＢＣ）対で処理することと
をさらに備える、Ｃ１に記載の方法。
［Ｃ６］  前記アンテナポートの前記対を組み合わせた結果として前記ＵＥにおける結合利得をシグナリングすること
をさらに備える、Ｃ１に記載の方法。
［Ｃ７］  前記第１および第２の組み合わせられたアンテナポート内の基準信号電力オフセットと前記結合利得との和に一致する電力オフセットを有するデータを受信すること
をさらに備える、Ｃ６に記載の方法。
［Ｃ８］  基地局（ＢＳ）によるワイヤレス通信の方法であって、
より大きなシステム帯域幅の狭帯域領域における送信のために、少なくとも第１および第２の組み合わせられたアンテナポートを生成するために、アンテナポートの対を組み合わせることと、
前記第１および第２の組み合わせられたアンテナポートの各々について、アンテナポートの前記組み合わせられた対の各アンテナポートの対応するＲＥ上で同じデータを送信することと
を備え、
前記第１および第２の組み合わせられたアンテナポートの各々について、チャネル推定値は、受信ＵＥによって決定され、前記ＲＥ上で送信された前記データは、前記決定されたチャネル推定値に基づいて、前記受信ＵＥによって対で処理される、
方法。
［Ｃ９］  前記アンテナポートの前記対を組み合わせた結果として前記ＵＥにおける結合利得を備えるシグナリングを受信すること
をさらに備える、Ｃ８に記載の方法。
［Ｃ１０］  前記組み合わせられたアンテナポート内の基準信号電力オフセットと前記ＵＥにおける前記結合利得との和に一致する電力オフセットを有するデータを送信すること
をさらに備える、Ｃ９に記載に記載の方法。
［Ｃ１１］  前記第１または第２の組み合わせられたアンテナポートのうちの一方の電力を、他方の組み合わせられたアンテナポートの電力に一致するようにブーストすること
をさらに備える、Ｃ８に記載の方法。
［Ｃ１２］  ワイヤレス通信の装置であって、
少なくとも１つのプロセッサと、前記少なくとも１つのプロセッサは、
少なくとも第１および第２の組み合わせられたアンテナポートを生成するために、アンテナポートの対を組み合わせることと、
より大きなシステム帯域幅の狭帯域領域において送信された基準信号を受信することと、
組み合わせられたアンテナポートごとに、アンテナポートの前記組み合わせられた対の各アンテナポートのリソース要素（ＲＥ）上で受信された前記基準信号を加算することと、
組み合わせられたアンテナポートのための前記加算された基準信号に基づいて、前記組み合わせられたアンテナポートごとにチャネル推定値を決定することと
を行うように構成される、
前記少なくとも１つのプロセッサに結合されたメモリと
を備える、装置。
［Ｃ１３］  前記少なくとも１つのプロセッサは、
第１のアンテナポートの前記ＲＥを第１のスクランブリングシーケンスを用いてデスクランブルすることで、第１のデスクランブルされた信号を取得することと、
第２のアンテナポートの前記ＲＥを第２のスクランブリングシーケンスを用いてデスクランブルすることで、第２のデスクランブルされた信号を取得することと、
前記第１のデスクランブルされた信号を前記第２のデスクランブルされた信号と組み合わせることと
を行うことで、アンテナポートの前記組み合わせられた対の各アンテナポートのリソース要素（ＲＥ）上で受信された前記基準信号を加算するように構成される、Ｃ１２に記載の装置。
［Ｃ１４］  前記少なくとも１つのプロセッサは、前記デスクランブルされた信号を加算することで前記組み合わせることを実行するように構成される、Ｃ１３に記載の装置。
［Ｃ１５］  前記少なくとも１つのプロセッサは、
前記デスクランブルされた信号に対して時間および／または周波数補間を実行することと、
前記補間されたデスクランブルされた信号を加算することと
を行うことで、前記組み合わせることを実行するように構成される、Ｃ１３に記載の装置。
［Ｃ１６］  前記少なくとも１つのプロセッサは、
各組み合わせられたアンテナポートの前記ポートの対応するＲＥ上で同じデータを受信することと、
前記組み合わせられたアンテナポートの前記決定されたチャネル推定値に基づいて、前記ＲＥ上で受信されたデータを空間周波数ブロックコーディング（ＳＦＢＣ）対で処理することと
を行うようにさらに構成される、Ｃ１２に記載の装置。
［Ｃ１７］  前記少なくとも１つのプロセッサは、
前記アンテナポートの前記対を組み合わせた結果として前記ＵＥにおける結合利得をシグナリングすること
を行うようにさらに構成される、Ｃ１２に記載の装置。
［Ｃ１８］  前記少なくとも１つのプロセッサは、
前記第１および第２の組み合わせられたアンテナポート内の基準信号電力オフセットと前記ＵＥの結合利得との和に一致する電力オフセットを有するデータを受信すること
を行うようにさらに構成される、Ｃ１７に記載の装置。
［Ｃ１９］  ワイヤレス通信の装置であって、
少なくとも第１および第２の組み合わせられたアンテナポートを生成するために、アンテナポートの対を組み合わせるための手段と、
より大きなシステム帯域幅の狭帯域領域において送信された基準信号を受信するための手段と、
組み合わせられたアンテナポートごとに、アンテナポートの前記組み合わせられた対の各アンテナポートのリソース要素（ＲＥ）上で受信された前記基準信号を加算するための手段と、
組み合わせられたアンテナポートのための前記加算された基準信号に基づいて、前記組み合わせられたアンテナポートごとにチャネル推定値を決定するための手段と
を備える装置。
［Ｃ２０］  アンテナポートの前記組み合わせられた対の各アンテナポートのリソース要素（ＲＥ）上で受信された前記基準信号を前記加算するための手段は、
第１のアンテナポートの前記ＲＥを第１のスクランブリングシーケンスを用いてデスクランブルすることで、第１のデスクランブルされた信号を取得することと、
第２のアンテナポートの前記ＲＥを第２のスクランブリングシーケンスを用いてデスクランブルすることで、第２のデスクランブルされた信号を取得することと、
前記第１のデスクランブルされた信号を前記第２のデスクランブルされた信号と組み合わせることと
を行うようにさらに構成される、Ｃ１９に記載の装置。
［Ｃ２１］  前記組み合わせるための手段は、前記デスクランブルされた信号を加算するように構成される、Ｃ２０に記載の装置。
［Ｃ２２］  前記組み合わせるための手段は、
前記デスクランブルされた信号に対して時間および／または周波数補間を実行することと、
前記補間されたデスクランブルされた信号を加算することと
を行うように構成される、Ｃ２０に記載の装置。
［Ｃ２３］  各組み合わせられたアンテナポートの前記ポートの対応するＲＥ上で同じデータを受信するための手段と、
前記組み合わせられたアンテナポートの前記決定されたチャネル推定値に基づいて、前記ＲＥ上で受信されたデータを空間周波数ブロックコーディング（ＳＦＢＣ）対で処理するための手段と
をさらに備える、Ｃ１９に記載の装置。
［Ｃ２４］  前記アンテナポートの前記対を組み合わせた結果として前記ＵＥにおける結合利得をシグナリングするための手段
をさらに備える、Ｃ１９に記載の装置。
［Ｃ２５］  前記第１および第２の組み合わせられたアンテナポート内の基準信号電力オフセットと前記ＵＥの結合利得との和に一致する電力オフセットを有するデータを受信するための手段
をさらに備える、Ｃ２４に記載の装置。
［Ｃ２６］  命令を記憶するコンピュータ読取可能な媒体であって、前記命令は、プロセッサによって実行されると、
少なくとも第１および第２の組み合わせられたアンテナポートを生成するために、アンテナポートの対を組み合わせることと、
より大きなシステム帯域幅の狭帯域領域において送信された基準信号を受信することと、
組み合わせられたアンテナポートごとに、アンテナポートの前記組み合わせられた対の各アンテナポートのリソース要素（ＲＥ）上で受信された前記基準信号を加算することと、
組み合わせられたアンテナポートのための前記加算された基準信号に基づいて、前記組み合わせられたアンテナポートごとにチャネル推定値を決定することと
を備える方法を実行する、コンピュータ読取可能な媒体。
［Ｃ２７］  アンテナポートの前記組み合わせられた対の各アンテナポートのリソース要素（ＲＥ）上で受信された前記基準信号を加算することは、
第１のアンテナポートの前記ＲＥを第１のスクランブリングシーケンスを用いてデスクランブルすることで、第１のデスクランブルされた信号を取得することと、
第２のアンテナポートの前記ＲＥを第２のスクランブリングシーケンスを用いてデスクランブルすることで、第２のデスクランブルされた信号を取得することと、
前記第１のデスクランブルされた信号を前記第２のデスクランブルされた信号と組み合わせることと
をさらに備えるＣ２６に記載のコンピュータ読取可能な媒体。
［Ｃ２８］  前記組み合わせることは、前記デスクランブルされた信号を加算することを備える、Ｃ２７に記載のコンピュータ読取可能な媒体。
［Ｃ２９］  前記組み合わせることは、
前記デスクランブルされた信号に対して時間および／または周波数補間を実行することと、
前記補間されたデスクランブルされた信号を加算することと
を備える、Ｃ２７に記載のコンピュータ読取可能な媒体。
［Ｃ３０］  各組み合わせられたアンテナポートの前記ポートの対応するＲＥ上で同じデータを受信することと、
前記組み合わせられたアンテナポートの前記決定されたチャネル推定値に基づいて、前記ＲＥ上で受信されたデータを空間周波数ブロックコーディング（ＳＦＢＣ）対で処理することと
を行うための命令をさらに備える、Ｃ２６に記載のコンピュータ読取可能な媒体。
［Ｃ３１］  前記アンテナポートの前記対を組み合わせた結果として前記ＵＥにおける結合利得をシグナリングすること
を行うための命令をさらに備える、Ｃ２６に記載のコンピュータ読取可能な媒体。
［Ｃ３２］  前記第１および第２の組み合わせられたアンテナポート内の基準信号電力オフセットと前記ＵＥの結合利得との和に一致する電力オフセットを有するデータを受信すること
を行うための命令をさらに備える、Ｃ３１に記載のコンピュータ読取可能な媒体。
［Ｃ３３］  ワイヤレス通信のための装置であって、
少なくとも１つのプロセッサと、前記少なくとも１つのプロセッサは、
より大きなシステム帯域幅の狭帯域領域における送信のために、少なくとも第１および第２の組み合わせられたアンテナポートを生成するために、アンテナポートの対を組み合わせることと、
前記第１および第２の組み合わせられたアンテナポートの各々について、アンテナポートの前記組み合わせられた対の各アンテナポートの対応するＲＥ上で同じデータを送信することと
を行うように構成され、
前記第１および第２の組み合わせられたアンテナポートの各々について、チャネル推定値は、受信ＵＥによって決定され、前記ＲＥ上で送信された前記データは、前記決定されたチャネル推定値に基づいて、前記受信ＵＥによって対で処理される、
前記少なくとも１つのプロセッサに結合されたメモリと
を備える装置。
［Ｃ３４］  前記少なくとも１つのプロセッサは、
前記アンテナポートの前記対を組み合わせた結果として前記ＵＥにおける結合利得を備えるシグナリングを受信すること
を行うようにさらに構成される、Ｃ３３に記載の装置。
［Ｃ３５］  前記少なくとも１つのプロセッサは、
前記組み合わせられたアンテナポート内の基準信号電力オフセットと前記ＵＥにおける前記結合利得との和に一致する電力オフセットを有するデータを送信すること
を行うようにさらに構成される、Ｃ３４に記載の装置。
［Ｃ３６］  前記少なくとも１つのプロセッサは、
前記第１または第２の組み合わせられたアンテナポートのうちの一方の電力を、他方の組み合わせられたアンテナポートの電力に一致するようにブーストすること
を行うようにさらに構成される、Ｃ３３に記載の装置。
［Ｃ３７］  ワイヤレス通信のための装置であって、
より大きなシステム帯域幅の狭帯域領域における送信のために、少なくとも第１および第２の組み合わせられたアンテナポートを生成するために、アンテナポートの対を組み合わせるための手段と、
前記第１および第２の組み合わせられたアンテナポートの各々について、アンテナポートの前記組み合わせられた対の各アンテナポートの対応するＲＥ上で同じデータを送信するための手段と
を備え、
前記第１および第２の組み合わせられたアンテナポートの各々について、チャネル推定値は、受信ＵＥによって決定され、前記ＲＥ上で送信された前記データは、前記決定されたチャネル推定値に基づいて、前記受信ＵＥによって対で処理される、
装置。
［Ｃ３８］  前記アンテナポートの前記対を組み合わせた結果として前記ＵＥにおける結合利得を備えるシグナリングを受信するための手段
をさらに備える、Ｃ３７に記載の装置。
［Ｃ３９］  前記組み合わせられたアンテナポート内の基準信号電力オフセットと前記ＵＥにおける前記結合利得との和に一致する電力オフセットを有するデータを送信するための手段
をさらに備える、Ｃ３８に記載の装置。
［Ｃ４０］  前記第１または第２の組み合わせられたアンテナポートのうちの一方の電力を、他方の組み合わせられたアンテナポートの電力に一致するようにブーストするための手段
をさらに備える、Ｃ３７に記載の装置。
［Ｃ４１］  命令を記憶するコンピュータ読取可能な媒体であって、前記命令は、プロセッサによって実行されると、
より大きなシステム帯域幅の狭帯域領域における送信のために、少なくとも第１および第２の組み合わせられたアンテナポートを生成するために、アンテナポートの対を組み合わせることと、
前記第１および第２の組み合わせられたアンテナポートの各々について、アンテナポートの前記組み合わせられた対の各アンテナポートの対応するＲＥ上で同じデータを送信することと
を備える方法を実行し、
前記第１および第２の組み合わせられたアンテナポートの各々について、チャネル推定値は、受信ＵＥによって決定され、前記ＲＥ上で送信された前記データは、前記決定されたチャネル推定値に基づいて、前記受信ＵＥによって対で処理される、
コンピュータ読取可能な媒体。
［Ｃ４２］  前記アンテナポートの前記対を組み合わせた結果として前記ＵＥにおける結合利得を備えるシグナリングを受信するための命令
をさらに備える、Ｃ４１に記載のコンピュータ読取可能な媒体。
［Ｃ４３］  前記組み合わせられたアンテナポート内の基準信号電力オフセットと前記ＵＥにおける前記結合利得との和に一致する電力オフセットを有するデータを送信するための命令
をさらに備える、Ｃ４２に記載のコンピュータ読取可能な媒体。
［Ｃ４４］  前記第１または第２の組み合わせられたアンテナポートのうちの一方の電力を、他方の組み合わせられたアンテナポートの電力に一致するようにブーストするための命令
をさらに備える、Ｃ４１に記載のコンピュータ読取可能な媒体。
［Ｃ４５］  ワイヤレス通信の方法であって、
セルにおける送信のために２つ以上のリソースブロック（ＲＢ）を構成することと、  前記セルにおける前記送信のための前記２つ以上のＲＢに対して同じスクランブリングシーケンスを構成することと、
前記ＲＢの各々において送信されるべきデータを前記スクランブリングシーケンスを用いてスクランブリングすることと
を備える方法。
［Ｃ４６］  前記２つ以上のＲＢの各々において異なる物理セル識別子を構成することをさらに備える、Ｃ４５に記載の方法。
［Ｃ４７］  ワイヤレス通信の装置であって、
少なくとも１つのプロセッサと、前記少なくとも１つのプロセッサは、
セルにおける送信のために２つ以上のリソースブロック（ＲＢ）を構成することと、
前記セルにおける前記送信のための前記２つ以上のＲＢに対して同じスクランブリングシーケンスを構成することと、
前記ＲＢの各々において送信されるべきデータを前記スクランブリングシーケンスを用いてスクランブリングすることと
を行うように構成される、
前記少なくとも１つのプロセッサに結合されたメモリと
を備える装置。
［Ｃ４８］  前記少なくとも１つのプロセッサは、前記２つ以上のＲＢの各々において異なる物理セル識別子を構成するようにさらに構成される、Ｃ４７に記載の装置。
［Ｃ４９］  ワイヤレス通信の装置であって、
セルにおける送信のために２つ以上のリソースブロック（ＲＢ）を構成するための手段と、
前記セルにおける前記送信のための前記２つ以上のＲＢに対して同じスクランブリングシーケンスを構成するための手段と、
前記ＲＢの各々において送信されるべきデータを前記スクランブリングシーケンスを用いてスクランブリングするための手段と
を備える装置。
［Ｃ５０］  前記２つ以上のＲＢの各々において異なる物理セル識別子を構成するための手段をさらに備える、Ｃ４９に記載の装置。
［Ｃ５１］  命令を記憶するコンピュータ読取可能な媒体であって、前記命令は、プロセッサによって実行されると、
セルにおける送信のために２つ以上のリソースブロック（ＲＢ）を構成することと、  前記セルにおける前記送信のための前記２つ以上のＲＢに対して同じスクランブリングシーケンスを構成することと、
前記ＲＢの各々において送信されるべきデータを前記スクランブリングシーケンスを用いてスクランブリングすることと
を備える方法を実行する、コンピュータ読取可能な媒体。
［Ｃ５２］  前記２つ以上のＲＢの各々において異なる物理セル識別子を構成するための命令をさらに備える、Ｃ５１に記載のコンピュータ読取可能な媒体。